(57)【要約】【課題】  従来の囲碁、リバーシ、将棋、囲連星、五目並べなど、盤上に石や駒を追加して打ち込むゲームは、盤上に対戦相手が打った全ての手が表示されているので、強い対戦相手に勝つ事ができず面白くない。かと言って、サイコロで勝敗が決まるようなゲームでは、例え勝ったとしても、ただ偶然に勝っただけであり、これも面白くない。そこで偶然ではなく強い相手にも勝つ事ができるゲームプログラムを提供する。【解決手段】  本発明のゲームプログラムを囲碁に適用した場合、自分の打った石は自分には見えるが相手には見えなくなる。同様に相手の打った石は相手には見えるが自分には見えなくなる。自分の打った石の上に、もう一度自分の石を重ねて打った場合、相手にも自分の石が見えるようになる。同様に相手の打った石の上に、もう一度相手が石を重ねて打った場合、自分にも相手の石が見えるようになる。【選択図】  図１
2013027498.tif 000002
【特許請求の範囲】
【請求項１】
囲碁、将棋、リバーシ、五目並べなどのボードゲーム、あるいはパズルの盤上に置かれた石、駒などが、それを置いたゲームの遊戯者には見えるが、その遊戯者の対戦相手には見ない事を特徴とするゲームプログラム。
【請求項２】
既に盤上に置いてある、石、駒などと同じ位置に、別な石、駒などを置く事ができる事を特徴とするゲームプログラム。
【請求項３】
既に盤上に置いてある、味方の、石、駒などと同じ位置に、味方が、別な石、駒などを置くと、その同じ位置に置かれた、味方の、石、駒などが、敵方にも見えるようになり、同じように、
既に盤上に置いてある、敵方の、石、駒などと同じ位置に、敵方が、別な石、駒などを置くと、その同じ位置に置かれた、敵方の、石、駒などが、味方にも見えるようになる事を特徴とするゲームプログラム。
【請求項４】
既に盤上に置いてある、味方の、石、駒などと同じ位置に、味方が、別な石、駒などを置くと、その同じ位置に置かれた、敵方の、石、駒などが、盤上から消える、あるいは取り除かれる。同じように、
既に盤上に置いてある、敵方の、石、駒などと同じ位置に、敵方が、別な石、駒などを置くと、その同じ位置に置かれた、味方の、石、駒などが、盤上から消える、あるいは取り除かれる事を特徴とするゲームプログラム。
【請求項５】
既に盤上に置いてある、味方の、石、駒などと同じ位置に、味方が、別な石、駒などを置くと、その同じ位置に置かれた、敵方の、石、駒などが、味方の得点として数えらる。同じように、
既に盤上に置いてある、敵方の、石、駒などと同じ位置に、敵方が、別な石、駒などを置くと、その同じ位置に置かれた、味方の、石、駒などが、敵方の得点として数えられる事を特徴とするゲームプログラム。
【請求項６】
既に盤上に置いてある、味方の、石、駒などと同じ位置に、味方が、別な石、駒などを置くと、その同じ位置に置かれた、敵方の、石、駒などの存在が、味方にも分かるようになる。同じように、
既に盤上に置いてある、敵方の、石、駒などと同じ位置に、敵方が、別な石、駒などを置くと、その同じ位置に置かれた、味方の、石、駒などの存在が、敵方にも分かるようになる事を特徴とするゲームプログラム。
【請求項７】
既に盤上に置いてある、石、駒などと同じ位置に、別な石、駒などを、合計３個までなら置く事ができる事を特徴とするゲームプログラム。
【請求項８】
ボードゲーム、あるいはパズルの盤上に、ゲームの遊戯者が、石、駒などを置いた時、その、石、駒が、それを置いたゲームの遊戯者には見えるが、その遊戯者の対戦相手には見ないような、石、駒を、虚数の石、虚数の駒と呼ぶゲームプログラム。
【発明の詳細な説明】
【技術分野】
【０００１】
本発明は、コンピューターをゲーム機として機能させる為のゲームプログラムに係わるものであり、囲碁、リバーシ、将棋、囲連星、五目並べなど、ゲームの盤上に石や駒を追加して打ち込むゲームの、ゲームプログラムに適用される。
【背景技術】
【０００２】
囲碁、リバーシ、将棋、囲連星、五目並べなどは、コンピューターのゲームプログラムを使わずとも、実物の石や駒、そしてゲーム盤を用いて、対戦、対局可能であるが、コンピューターを対戦相手としたり、あるいはコンピューター、及び接続ケーブル、インターネットを介して、遠く離れた人と人とが囲碁、リバーシ、将棋、囲連星、五目並べなどを対戦、対局する事を可能とするゲームは提案されている。しかし、これら従来のゲームプログラムは、基本的に実物の、それらのゲームをコンピューターのゲームプログラムに置き換えただけのものである。
【発明の概要】
【発明が解決しようとする課題】
【０００３】
従来の囲碁、リバーシ、将棋、囲連星、五目並べなど、盤上に石や駒を追加して打ち込むゲームは、二人零和有限確定完全情報ゲームであり、盤上に対戦相手が打った全ての手が表示されているので、強い対戦相手に勝つ事は容易でなく、従って弱い者は強い相手にいつも負けしまい、面白くない。かと言って、サイコロで勝敗が決まるようなゲームでは、例え勝ったとしても、ただ偶然に勝っただけであり、これも面白くない。そこで、偶然ではなく、強い相手にも勝つ事ができるゲームプログラムを提供する。
【課題を解決するための手段】
【０００４】
このゲームプログラムを囲碁に適用した場合で説明すると、自分の打った石は自分には見えるが、相手には見えない。同様に、相手の打った石は相手には見えるが、自分には見えない。自分の打った石の上に、もう一度自分の石を重ねて打った場合、相手にも自分の石が見えるようになる。同様に、相手の打った石の上に、もう一度相手が石を重ねて打った場合、自分にも相手の石が見えるようになる。
【０００５】
このゲームプログラムを囲碁に適用した囲碁を虚数碁と呼ぶことにする。虚数碁で用いられる石を虚数の石と呼ぶことにする。
【０００６】
一般に広く行われている囲碁の事を、ここでは実数碁と呼ぶ事にする。実数碁とは現在、一般に囲碁として広く行われ知られている普通の囲碁の事であり、その実数碁で用いられる石を、ここでは実数の石と呼ぶことにする。
【０００７】
虚数碁とは虚数の石を用いた囲碁の事である。虚数の石とは数学の虚数と似た性質を持ち、数学の虚数が、虚数掛ける虚数が実数に成るように、虚数の石の上に虚数の石を打ち込むと実数の石に成る石の事である。当然のことながら虚数の石は実数の石と明瞭に見分けられねばならない。つまり虚数の石には実数の石と区別するための、何らかの、しるし、あるいはマークを付ける必要がある。一例として、ここでは虚数の石にはiの字を付ける事にする。図１、図２。
【０００８】
虚数碁と実数碁との違いは、実数碁が実数の石のみを用いるのに対して、虚数碁が実数の石と虚数の石の、二つの性質の異なった石を用いる事である。図１、図２。
【０００９】
以下に実数碁と異なる、虚数碁特有のゲームプログラムを列記する。虚数碁特有でない部分のゲームプログラムは、実数碁のゲームプログラムと共通するので、実数碁のゲームプログラムを用いる。
【００１０】
１．虚数碁の対局者は虚数の石しか盤上に打ち込む事ができないゲームプログラムである。
【００１１】
２．上記、１．に反して実数の石も打ち込める虚数碁のゲームプログラムも考えられるが、ここでは虚数の石しか盤上に打ち込めないゲームプログラムを例に本発明を説明する。
【００１２】
３．黒の虚数の石を持つ対局者と白の虚数の石を持つ対局者の間で行われるゲームプログラムである。
【００１３】
４．上記３．に反して黒石の他に例えば緑色の石も用いても良いが、要は敵と味方が同じ色の石を盤上に打ち込めないということである。でないと、どの石が味方の石で、どの石が敵の石か分からなくなり、ゲームが進行できなくなってしまうからである。ここでは黒石と白石を使うゲームプログラムを例に、本発明を説明する。
【００１４】
５．黒の虚数の石は、黒の虚数の石を打ち込んだ対局者には見えるが、相手方の白石を持つ対局者には見えない。同様に、白の虚数の石は、白の虚数の石を打ち込んだ対局者には見えるが、相手方の黒石を持つ対局者には見えない。つまり互いに相手方の虚数の石を見る事はできないゲームプログラムである。図１、図２。
【００１５】
６．上記５．の条件を満たすような石は今のところ実在しない。従ってこのゲームプログラムは二台のコンピューターのディスプレー上で対戦されるゲームプログラムである。仮に、自分が黒石を持ち、自分の対戦相手が白石を持って対局している場合、一台は黒石を持つ自分が見ているディスプレーであり、図１。もう一台は白石を持つ対戦相手が見ているディスプレーである。図２。従って上記５．の「見えない」という意味はコンピューターのディスプレーに表示されないという意味であり、自分のディスプレーに表示される石は、実数の石と、自分が打った虚数の石であり、相手が打った虚数の石は表示されないゲームプログラムである。図１、図２。
【００１６】
７．虚数の石は実数碁の実数の石と同じように、線の交点に打ち込む事ができるゲームプログラムである。もちろん交点ではなく、枡の中に置く虚数碁も考えられるが、それは実数碁において枡中に石を置く囲碁が考えられるのと同じである。
【００１７】
８．虚数の石は実数の石の上に重ねて置く事はできないゲームプログラムである。
【００１８】
９．黒の虚数の石は、黒の虚数の石の上に重ねて置く事ができ、その場合、二つの黒の虚数の石は合体して一つの黒の実数の石に成る。これは白の虚数の石の場合も同様であり、白の虚数の石は、白の虚数の石の上に重ねて置く事ができ、その場合、二つの白の虚数の石は合体して一つの白の実数の石に成る。こうして実数の石に成れば相手にも見えるようになりディスプレーにも表示されるゲームプログラムである。図１、図２。
【００１９】
１０．黒の虚数の石の上に白の虚数の石を重ねて置くことができる。同様に、白の虚数の石の上に黒の虚数の石を重ねて置くことができるゲームプログラムである。
【００２０】
１１．上記１０．の状態の、黒石の上に白石、あるいは白石の上に黒石の虚数の石が重なった上に、さらに黒の虚数の石を重ねて置いた場合、三個の積み重ねられた虚数の石は合体して一つの黒の実数の石に成る。同様に、上記１０．の状態の、黒石の上に白石、あるいは白石の上に黒石の虚数の石が重なった上に、さらに白の虚数の石を重ねて置くと、三個の積み重ねられた虚数の石は合体して一つの白の実数の石に成るゲームプログラムである。
【００２１】
１２．虚数の石は周りを対戦相手の実数の石、または虚数の石に、隙間無く取り囲まれても盤上から取り除かれる事は無いゲームプログラムである。
【００２２】
１３．虚数の石で対戦相手の実数の石を、隙間無く取り囲んでも実数の石を取り除く事はできないゲームプログラムである。
【００２３】
１４．いわゆる活きている石、つまり二眼以上を有して活きている実数の石の眼の中が虚数の石で満たされていても活きている事に変わりは無いゲームプログラムである。
【００２４】
１５．虚数碁の勝敗は盤上の実数の石のみによって決定される。いわゆるアゲハマも実数の石のみ数えられるゲームプログラムである。
【００２５】
１６．虚数の石は、実数の石と区別して表示する必要がある。例えばアルファベットのiの字を付けるのは一例である。黒石の虚数の石の上に白い字でiと表示し、白石の虚数の石の上に黒い字でiと表示し、実数の石と区別するゲームプログラムである。図１、図２。
【００２６】
１７．本発明の虚数碁は、図１、図２で例示された六路盤のみならず、九路盤、十三路盤、あるいは十九路盤で打つ事も可能なゲームプログラムである。
【００２７】
１８．本発明を図１で説明する。図１は本発明を適用した虚数碁のゲームの、黒石を持つ対局者のディスプレーに表示された、六路の碁盤の上に置かれた石の画像である。なお、この黒石を持つ対局者の対戦相手が見ているディスプレーの画像は図２であるが、対局者は対戦相手が見ているディスプレーの画像を対局中に見る事ができないゲームプログラムである。
【００２８】
１９．本発明を図２で説明する。図２は本発明を適用した虚数碁のゲームの、白石を持つ対局者のディスプレーに表示された、六路の碁盤の上に置かれた石の画像である。なお、この白石を持つ対局者の対戦相手が見ているディスプレーの画像は図１であるが、対局者は対戦相手が見ているディスプレーの画像を対局中に見る事ができないゲームプログラムである。
【００２９】
以上、１．から１９．まで、本発明のゲームプログラムを囲碁に適用した場合で説明したが、囲碁の他に、リバーシ、将棋、囲連星、五目並べなど、盤上に石や駒を追加して打ち込むゲームなら、全て本発明のゲームプログラムを適用する事は可能である。
【発明の効果】
【００３０】
本発明のゲームプログラムを囲碁に適用した場合、自分の打った石は自分には見えるが、相手には見えなくなる。同様に、相手の打った石は相手には見えるが、自分には見えなくなる。自分の打った石の上に、もう一度自分の石を重ねて打った場合、相手にも自分の石が見えるようになる。同様に、相手の打った石の上に、もう一度相手が石を重ねて打った場合、自分にも相手の石が見えるようになる。
【図面の簡単な説明】
【００３１】
【図１】本発明を適用した虚数碁のゲームの、黒石を持つ対局者のディスプレーに表示された、六路の碁盤の上に置かれた石の画像である。
【図２】本発明を適用した虚数碁のゲームの、白石を持つ対局者のディスプレーに表示された、六路の碁盤の上に置かれた石の画像である。
【発明を実施するための形態】
【００３２】
本発明を実施するための最良の形態は、二台のコンピューターのディスプレー上で対戦されるゲームプログラムである。仮に、本発明を囲碁のゲームプログラムに適用したとすれば、自分が黒石を持ち、自分の対戦相手が白石を持って対局している場合、一台は黒石を持つ自分が見ているディスプレーであり、図１。もう一台は白石を持つ対戦相手が見ているディスプレーである。図２。
【実施例１】
【００３３】
図１は本発明を適用した虚数碁のゲームの、黒石を持つ対局者のディスプレーに表示された、六路の碁盤の上に置かれた石の画像である。なお、この黒石を持つ対局者の対戦相手が見ているディスプレーの画像は図２であるが、対局者は対戦相手が見ているディスプレーの画像を対局中に見る事ができない。
【実施例２】
【００３４】
図２は本発明を適用した虚数碁のゲームの、白石を持つ対局者のディスプレーに表示された、六路の碁盤の上に置かれた石の画像である。なお、この白石を持つ対局者の対戦相手が見ているディスプレーの画像は図１であるが、対局者は対戦相手が見ているディスプレーの画像を対局中に見る事ができない。
【産業上の利用可能性】
【００３５】
本発明は囲碁の他に、リバーシ、将棋、囲連星、五目並べなど、盤上に石や駒を追加して打ち込むゲームなら、全て適用可能である。
【図１】
2013027498.tif 000003
【図２】
2013027498.tif 000004